(57)【要約】【課題】使用中に箸の縮み戻りを防止でき、使用後に箸全体の長さを短縮でき、環境保全に優しい伸縮箸の構造を提供する。【解決手段】握り部１１と、延長部１２とから構成され、延長部１２は、両端がそれぞれ挟み段１２１及び連接段１２２であり、連接段１２２と挟み段１２１との外径が異なり、連接段１２２の外周面には、握り部１１の底端と結合し互いに対称な第一突起１３と第二突起１４とが設けてあり、握り部１１は、中空を呈し、延長部１２を収容可能であり、開口１１１を有し、延長部１２にある連接段１２２の外周面に設けられた各突起１３、１４を旋回して握り部１１にある開口１１１の内周面に押さえつけたとき、握り部１１と延長部１２とが結合され、且つ握り部１１の内周面には延長部１２にある各突起１３、１４に対応する止め部が設けてあり、延長１２部がある角度で旋回されたとき、各突起１３、１４が止め部に押さえつけられた状態になる。【選択図】図２
0003124507.tif 000002
【実用新案登録請求の範囲】
【請求項１】
握り部と、延長部とから構成される伸縮箸の構造において、
前記延長部は、両端がそれぞれ挟み段及び連接段であり、前記連接段と前記挟み段との外径が異なり、前記連接段の外周面には、前記握り部の底端と結合し互いに対称な位置に位置する第一突起と第二突起とが設けてあり、
前記握り部は、中空を呈し、前記延長部を収容可能であり、開口を有し、前記延長部にある連接段の外周面に設けられた各突起を旋回して前記握り部にある開口の内周面に押さえつけたとき、前記握り部と前記延長部が結合され、且つ前記握り部の内周面には前記延長部にある前記各突起に対応する止め部が設けてあり、前記延長部がある角度で旋回されたとき、前記各突起が前記止め部に押さえつけられた状態になることを特徴とする伸縮箸の構造。
【請求項２】
前記握り部と前記延長部との間には中空の連接段が設けてあり、前記延長部は前記連接段内へ縮んで入ることが可能であり、且つ前記連接段は前記握り部内へ縮んで入ることが可能であることを特徴とする請求項１に記載の伸縮箸の構造。
【請求項３】
前記連接段の外径は前記挟み段の外径よりも大きく、且つ前記第一突起の頂点から前記第二突起の頂点までの長さは前記連接段の外径よりも大きいことを特徴とする請求項１に記載の伸縮箸の構造。
【請求項４】
前記第一突起と前記第二突起とは前記連接段の軸心を中心として互いに対称な位置に位置することを特徴とする請求項１に記載の伸縮箸の構造。
【請求項５】
前記止め部は、幅が右回り方向へ徐々に拡大することを特徴とする請求項１に記載の伸縮箸の構造。
【考案の詳細な説明】
【技術分野】
【０００１】
本考案は、伸縮箸の構造に係り、特に、使用中に箸の縮み戻りを防止でき、使用後に箸全体の長さを短でき、環境保全に優しい伸縮箸の構造に関するものである。
【背景技術】
【０００２】
箸は、古来から日常生活の飲食に不可欠なものである。従来の箸は、一定の長さを持つ一対のロッドであり、室内での使用は便利であるが、長さは長いので携帯性が良くなく、だから、図６に示すような箸５の構造が提案され、前記箸５は、前段部５１と、握り部５２とを備え、前記前段部５１は前記握り部５２内へ縮んで入ることが可能であり、箸５を使用しようとするときには、前記前段部５１を前記握り部５２から引き出すと、箸として使用することができる。
しかしながら、上記の箸５は、前段部５１の外周面と、前記握り部５２の内周面との摩擦力によって結合するので、使用中に前段部５１に加える力が大きいと、前記前段部５１が前記握り部５２へ縮んで入るので、使用は極めて不便である。
【０００３】
なお、別の従来の箸６は、図７に示すように、握り部６２と、前段部６１とを備え、前記前段部６１の一端が前記握り部６２内に収容され、且つ前記前段部６１の外周面には互いに対称な突起６１１が二つ設けてあり、前記各突起６１１に応じて前記握り部６２の内周面に窪み６２１が設けてあり、そうすると、前記箸６の前段部６１を引き出すときに、前記各突起６１１がそれぞれ前記各窪み６２１と係合する。
しかしながら、上記の箸６において、前段部６１と握り部６２との結合は、前記前段部６１の外周面に設けた前記各突起６１と、前記握り部６２の内周面に設けた前記各窪み６２１との係合力によるので、使用中に前段部６１に加える力が大きいと、前記前段部６１が前記握り部６２へ縮んで入り易いので、使用は極めて不便である。
【考案の開示】
【考案が解決しようとする課題】
【０００４】
本考案の主な目的は、使用中に箸の縮み戻りを防止でき、使用後に箸全体の長さを短縮でき、環境保全に優しい伸縮箸の構造を提供する。
【課題を解決するための手段】
【０００５】
上記目的を達成するためになされた本考案は、握り部と、延長部とから構成される伸縮箸の構造であって、前記延長部は、その両端がそれぞれ挟み段及び連接段であり、前記連接段と前記挟み段との外径が異なり、前記連接段の外周面には、前記握り部の底端と結合し互いに対称な第一突起と第二突起とが設けてあり、前記握り部は、中空を呈し、前記延長部を収容可能であり、開口を有し、前記延長部にある連接段の外周面に設けられた各突起を旋回して前記握り部にある開口の内周面に押さえつけたとき、前記握り部と前記延長部とが結合され、且つ前記握り部の内周面には前記延長部にある前記各突起に対応する止め部が設けてあり、前記延長部がある角度で旋回されたとき、前記各突起が前記止め部に押さえつけられた状態になることを特徴とする伸縮箸の構造であることを要旨としている。
（考案の効果）
本考案に係る伸縮箸の構造によれば、使用中に箸の縮み戻りを防止でき、使用後に箸全体の長さを短縮でき、環境保全に優しい効果がある。
【考案を実施するための最良の形態】
【０００６】
以下、添付図面を参照して本考案の好適な実施の形態を詳細に説明する。
まず、図１を参照する。本考案の第一実施例に係る伸縮箸の構造は、一対の箸１を有し、前記箸１は、一体成形された樹脂製品であり、握り部１１と、延長部１２とから構成されるものであり、前記延長部１２は、その両端がそれぞれ挟み段１２１と連接段１２２とであり、前記連接段１２２と前記挟み段１２１との外径が異なり、本実施例では、前記連接段１２２の外径が前記挟み段１２１の外径よりも大きい。前記連接段１２２の外周面には第一突起１３と第二突起１４とが設けてあり、前記第一突起１３の頂端から前記第二突起１４の頂端までの長さをＸ3と定義し、且つＸ3が前記連接段１２２の外径よりも大きく、前記第一突起１３と前記第二突起１４とは前記連接段１２２の軸心を中心として互いに対称な位置に位置し、これにより、前記連接段１２２は前記握り部１１の底端と結合することができる。
【０００７】
前記握り部１１は、中空を呈し、前記延長部１２を収容可能であり、開口１１１を有し、前記開口１１１の外径は前記第一突起１３の頂端から前記第二突起１４の頂端までの長さＸ3よりも大きく、前記延長部１２にある連接段１２２の外周面に設けられた各突起１３、１４を旋回して前記握り部１１にある開口１１１の内周面に押さえつけたとき、前記握り部１１と前記延長部１２とが結合され、且つ前記握り部１１の内周面には前記延長部１２にある前記各突起１３、１４に対応する止め部１１２が設けてあり、本実施例では、前記止め部１１２は、その幅が右回り方向へ徐々に拡大し、これにより、前記延長部１２がある角度で旋回されたとき、前記各突起１３、１４が前記止め部１１２に押さえつけられた状態になり、そうすると、前記握り部１１と前記延長部１２の結合はもっと安定する。
本実施例は、各部材の外径が異なることを利用することにより、前記延長部１２にある連接段１２２が前記握り部１１の開口１１１へ移動して、且つ前記延長部１２がある角度で旋回されて前記各突起１３、１４が前記止め部１１２に押さえつけられたとき、図２に示すように、箸が形成される。
【０００８】
前記第一突起１３と前記第二突起１４とがそれぞれ前記握り部１１の内周面に当接するときに、前記握り部１１と前記延長部１２の関係は、図３に示すように、前記各突起１３、１４の前記止め部１１２に対する押力により、前記握り部１１と前記延長部１２とが結合状態になり、且つ幅が右回り方向へ徐々に拡大する前記止め部１１２により、前記握り部１１の内径がそれぞれＸ1とＸ2とに分けられ、且つＸ1はＸ2よりも大きく、ここで、前記延長部１２をある角度で旋回すると、前記各突起１３、１４が前記握り部１１のＸ1箇所からＸ2箇所に移動し、そうすると、前記各突起１３、１４は、図４に示すように、押えられて変形し、前記握り部１１の内周面にある止め部１１２にしっかりと押えられることができる。
また、本実施例の箸１を収納しようとする場合には、まず、前記延長部１２を旋回し、前記各突起１３、１４を前記握り部１１のＸ2箇所からＸ1箇所に移動させて、前記延長部１２を前記握り部１１へ押すと、前記延長部１２が前記握り部１１内に縮んで入る。
【０００９】
次に、図５に示すのは本考案の第二実施例であり、握り部１１Ａと延長部１２Ａとの間には中空の連接段１５Ａが設けてあり、すなわち、本実施例の伸縮箸の構造は、握り部１１Ａと、延長部１２Ａと、連接段１５Ａとに分けられ、且つ前記延長部１２Ａの前記連接段１５Ａに面する外周面には突起１２１Ａが設けてあり、前記連接段１５Ａの前記握り部１１Ａに面する外周面には突起１５１Ａが設けてあり、このような構成により、前記延長部１２Ａは前記連接段１５Ａ内へ縮んで入ることが可能であり、且つ前記連接段１５Ａは前記握り部１１Ａ内へ縮んで入ることが可能であり、したがって、箸の全長を短縮して携帯性を良くすることができる。
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００１０】
【図１】本考案の第一実施例による伸縮箸の斜視図である。
【図２】本考案の第一実施例による伸縮箸の断面図である。
【図３】本考案の第一実施例による伸縮箸の使用状態を示す模式図である。
【図４】本考案の第一実施例による伸縮箸の使用状態を示す模式図である。
【図５】本考案の第二実施例による伸縮箸の模式図である。
【図６】従来の伸縮箸の構造を示す模式図である。
【図７】従来の伸縮箸の構造を示す模式図である。
【符号の説明】
【００１１】
１  箸、１１  握り部、１１Ａ  握り部、１２  延長部、１２Ａ  延長部、１３  第一突起、１４  第二突起、１５Ａ  連接段、１１１  開口、１１２  止め部、１１３  摺動案内段、１２１  挟み段、１２１Ａ  突起、１２２  連接段、１５１Ａ  突起
【図１】
0003124507.tif 000003
【図２】
0003124507.tif 000004
【図３】
0003124507.tif 000005
【図４】
0003124507.tif 000006
【図５】
0003124507.tif 000007
【図６】
0003124507.tif 000008
【図７】
0003124507.tif 000009